(57)【要約】      （修正有）【課題】生け簀本体内の給排水の量の調整がし易く、蓋部材が開口部から外れ難い生け簀装置およびそれを備えた船舶を提供する。【解決手段】生け簀装置を、生け簀本体と、生け簀本体に設けられたスカッパー２４と、スカッパー２４に位置調整可能に組み付けられる蓋部材２７で構成した。蓋部材２７は、給排水口２７ｄを備えており、スカッパー２４の周面に対する給排水口２７ｄの位置に応じて給水または排水の量を変更する。また、スカッパー２４に内側ネジ２４ｃを設けるとともに、蓋部材２７に内側ネジ２４ｃに螺合できる雄ネジ２７ｃを設け、雄ネジ２７ｃに、内側ネジ２４ｃに圧接して内側ネジ２４ｃと雄ネジ２７ｃとの螺合が解除され難くする凸部２７ｅを設けた。【選択図】図４
2015145195.tif 000002
【特許請求の範囲】
【請求項１】
生け簀本体と、
前記生け簀本体に設けられた開口部と、
前記生け簀本体に給水または前記生け簀本体から排水するための給排水口を備え、前記給排水口を前記開口部の周面に対向させた状態で前記開口部に移動可能に組み付けられ、前記開口部の周面に対する前記給排水口の位置に応じて給水または排水の量を変更できる蓋部材と
を備えた生け簀装置において、
前記開口部に取付部を設けるとともに、前記蓋部材に前記取付部に位置調整可能に係合する被取付部を設け、前記取付部と前記被取付部の少なくとも一方に、前記取付部と前記被取付部の係合位置が所定の位置になったときに、前記被取付部または前記取付部に圧接して前記取付部と前記被取付部との係合を解除され難くする凸部を設けたことを特徴とする生け簀装置。
【請求項２】
前記凸部は、前記取付部と前記被取付部を係合させるときの係合方向における係合開始位置から離間した位置に設けられている請求項１に記載の生け簀装置。
【請求項３】
前記取付部は雄ネジまたは雌ネジで構成され、前記被取付部は前記雄ネジまたは前記雌ネジに螺合可能な雌ネジまたは雄ネジで構成されているとともに、前記雄ネジに前記凸部が設けられ、前記雌ネジに、前記凸部の前記被取付部または前記取付部に対する圧接を解除する凹部が設けられている請求項１または２に記載の生け簀装置。
【請求項４】
前記凸部は前記雄ネジの谷間に設けられている請求項３に記載の生け簀装置。
【請求項５】
前記凹部は、前記雌ネジに交差する縦溝で構成されている請求項３または４に記載の生け簀装置。
【請求項６】
前記凹部は、前記被取付部または前記取付部の周方向に沿って一部分に設けられている請求項３ないし５のうちのいずれか一つに記載の生け簀装置。
【請求項７】
前記開口部と前記蓋部材の少なくとも一方は弾性を備えている請求項１ないし６のうちのいずれか一つに記載の生け簀装置。
【請求項８】
請求項１ないし７のいずれか一つに記載の生け簀装置を備えた船舶。
【発明の詳細な説明】
【技術分野】
【０００１】
本発明は、採取した魚貝類を一時的に入れるための生け簀装置およびそれを備えた船舶に関する。
【背景技術】
【０００２】
従来から、船舶や海岸等に生け簀装置を設けて、この生け簀装置に採取した魚貝類を一時的に入れておくことが行われている。このような生け簀装置の中に、底板が小型船舶の船底の一部を兼ねた箱形に形成されて上端開口縁部に蓋体がヒンジを介して開閉可能に取り付けられ、底板に、海水を導入したり導出したりする給排水機構が取り付けられたものがある（例えば、特許文献１参照）。
【０００３】
この生け簀装置の給排水機構は、海水を導入する第１のスカッパーと、海水を外部に導出する第２のスカッパーと、第１および第２のスカッパーにそれぞれ取り付けられた海水量調節手段を備えている。第１および第２のスカッパー（開口部）は、それぞれ内周面に内側ねじ部が形成された円筒体の下部に、傾斜した複数の横桟からなる下端面を設けた形状をしており、底板に設けられた２つの貫通孔に、互いの横桟の傾斜方向を変えて取り付けられている。また、海水量調節手段（蓋部材）は、第１および第２のスカッパーの内側ねじ部に螺合できる外側ねじ部と、その螺合の度合いによって開口面積を変更する取水口とを備えている。このため、海水量調節手段を回転させて第１および第２のスカッパーに対する海水量調節手段の位置を変更することにより、海水の導入量と導出量とを調整できる。
【先行技術文献】
【特許文献】
【０００４】
【特許文献１】実用新案登録第３１３７２０６号公報
【発明の概要】
【０００５】
しかしながら、前述した従来の生け簀装置では、海水量調節手段を回転させて、第１および第２のスカッパーに対する海水量調節手段の位置を調整する際に、海水量調節手段をどの程度回転させたかが分かりにくいため、内部に入れておく海水量の調整がし難いという問題がある。また、海水量調節手段を緩める方向に回転させすぎると、第１および第２のスカッパーから外れてしまうという問題もある。
【０００６】
本発明は、前述した問題に対処するためになされたもので、その目的は、生け簀本体内の給排水の量の調整がし易く、蓋部材が開口部から外れ難い生け簀装置およびそれを備えた船舶を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る生け簀装置の構成上の特徴は、生け簀本体（２１）と、生け簀本体に設けられた開口部（２４）と、生け簀本体に給水または生け簀本体から排水するための給排水口（２７ｄ）を備え、給排水口を開口部の周面に対向させた状態で開口部に移動可能に組み付けられ、開口部の周面に対する給排水口の位置に応じて給水または排水の量を変更できる蓋部材（２７）とを備えた生け簀装置（２０）において、開口部に取付部（２４ｃ）を設けるとともに、蓋部材に取付部に位置調整可能に係合する被取付部（２７ｃ）を設け、取付部と被取付部の少なくとも一方に、取付部と被取付部の係合位置が所定の位置になったときに、被取付部または取付部に圧接して取付部と被取付部との係合を解除され難くする凸部（２７ｅ）を設けたことにある。
【０００８】
本発明に係る生け簀装置では、生け簀本体に設けられた開口部に取付部を設け、蓋部材に、取付部に位置調整可能に係合する被取付部設けて、取付部と被取付部の係合位置を変更することにより給水および排水の量を調整できるようにしている。また、取付部と被取付部の少なくとも一方に、凸部を設けて、取付部と被取付部が所定の位置で係合しているときに、凸部が被取付部または取付部に圧接することより取付部と被取付部との係合が解除され難くなるようにしている。
【０００９】
このため、開口部に対して蓋部材を移動させると、凸部が被取付部または取付部に当接せずに蓋部材が移動し易い状態と、凸部が被取付部または取付部に圧接して蓋部材が移動し難くなる状態切り換わることから、取付部と被取付部との係合位置の確認が可能になる。また、係合位置を確認できることから、蓋部材が開口部から外れるまで開口部に対して蓋部材を移動させてしまうことが防止される。さらに、凸部がストッパーとして機能するため、所定位置に位置決めされた蓋部材が緩む方向に回ってしまうことが防止される。
【００１０】
なお、本発明においては、開口部は、生け簀本体と一体に形成してもよいし、別部材で構成して、生け簀本体に形成した取付け用穴に取り付けてもよい。また、開口部は、生け簀本体における海水や河川水などの水中に位置する部分であればどこに設けてもよいが、生け簀本体の底部に設けることが好ましい。さらに、開口部と蓋部材は、一組だけ設けてもよいし、複数組設けてもよい。一組設ける場合は、給水と排水の両方を行えるようにする。
【００１１】
複数組設ける場合には、給水用のものと排水用のものに分けて用いてもよいし、複数組のものがそれぞれ給水と排水の両方を行えるようにしてもよい。本発明における給排水口は、給水と排水の少なくとも一方ができる開口である。また、蓋部材は開口部の内周面に係合しても外周面に係合してもよく、蓋部材が開口部の内周面に係合するときには、本発明に係る開口部の周面は内周面となり、蓋部材が開口部の外周面に係合するときには、本発明に係る開口部の周面は外周面となる。
【００１２】
また、本発明に係る生け簀装置の他の構成上の特徴は、凸部が、取付部と被取付部の係合方向における係合開始位置から離間した位置に設けられていることにある。
【００１３】
凸部を、取付部と被取付部の係合方向における係合開始位置に設けた場合には、開口部に対して外れる方向に蓋部材を移動させたときに、凸部が被取付部または取付部に圧接した状態から開放されると同時に、蓋部材が開口部から外れるようになる。これに対し、本発明に係る生け簀装置では、凸部が取付部と被取付部の係合方向における係合開始位置から離間した位置に設けられているため、蓋部材が開口部から外れる前に、凸部が被取付部または取付部に圧接した状態から開放される。このため、凸部が被取付部または取付部に圧接した状態から開放されたときに、これ以上蓋部材を移動させると、蓋部材が開口部から外れてしまうことを認識できる。これによって、蓋部材が開口部から外れることをより確実に防止できる。
【００１４】
本発明に係る生け簀装置のさらに他の構成上の特徴は、取付部は雄ネジまたは雌ネジ（２４ｃ）で構成され、被取付部は雄ネジまたは雌ネジに螺合可能な雌ネジまたは雄ネジ（２７ｃ）で構成されているとともに、雄ネジに凸部が設けられ、雌ネジに、凸部の被取付部または取付部に対する圧接を解除する凹部（２４ｅ）が設けられていることにある。
【００１５】
本発明では、開口部と蓋部材の係合が雄ネジと雌ネジの螺合によって行われるため、開口部に対して蓋部材を回転させることにより、給水および排水の量を調整できる。そして、雄ネジに凸部が設けられ、雌ネジに凹部が設けられているため、蓋部材を回転させて、凸部が凹部内に入ったときと、凸部が被取付部または取付部に圧接しているときの回転に対する抵抗力の違いにより、開口部に対する蓋部材の位置を認識することができる。この凹部は、１つ設けてもよいし、複数設けてもよいが、雌ネジが延びる方向に間隔を保って複数設けることが好ましい。これによると、凸部が通過した凹部の数によって開口部に対する蓋部材の位置を正確に知ることができる。
【００１６】
本発明に係る生け簀装置のさらに他の構成上の特徴は、凸部が雄ネジの谷間、すなわちネジ谷に設けられていることにある。本発明によると、凸部が雌ネジ以外の部分に当たって破損することを防止できる。また、雄ネジが備わった部材を樹脂成型する場合には、凸部を備えた雄ネジの成形が容易になる。
【００１７】
本発明に係る生け簀装置のさらに他の構成上の特徴は、凹部が、雌ネジに交差する縦溝（２４ｅ）で構成されていることにある。この場合の縦溝は、雌ネジのネジ山の所定部分を取付部または被取付部の軸方向に沿って削ることで形成できる。これによると、縦溝を平面または平面に近い凹凸面に形成することができ、雌ネジのネジ山は周方向に断続的に形成されるようになる。したがって、開口部に対して蓋部材を１回転させるごとに凸部が凹部内に位置するようになり、開口部に対する蓋部材の位置をより正確に知ることができる。
【００１８】
本発明に係る生け簀装置のさらに他の構成上の特徴は、凹部が、被取付部または取付部の周方向に沿って一部分に設けられていることにある。本発明によっても、開口部に対する蓋部材の位置をより正確に知ることができる。
【００１９】
本発明に係る生け簀装置のさらに他の構成上の特徴は、開口部と蓋部材の少なくとも一方が弾性を備えていることにある。この場合、少なくとも凸部と、凸部に圧接する被取付部または取付部との一方が弾性を備えていればよい。本発明によると、開口部に対する蓋部材の移動がスムーズになる。
【００２０】
また、本発明に係る船舶（１０）の構成上の特徴は、前述した生け簀装置を備えたことにある。本発明によると、生け簀本体内の水量の調整がし易く、蓋部材が開口部から外れ難い生け簀装置を備えた船舶を得ることができる。
【図面の簡単な説明】
【００２１】
【図１】本発明の一実施形態に係る生け簀装置を備えた小型船舶を示した平面図である。
【図２】図１に示した小型船舶の側面図である。
【図３】スカッパーに蓋部材が取り付けられた状態を示した平面図である。
【図４】スカッパーに蓋部材が取り付けられた状態を示した断面図である。
【図５】スカッパーの内周面に形成された雌ネジと凹部を示した正面図である。
【図６】蓋部材を示した断面図である。
【図７】蓋部材の雄ネジに形成された凸部を示しており、（ａ）は正面図（ｂ）は平面図である。
【図８】スカッパーに蓋部材を螺合させて給排水口を閉じた状態を示した断面図である。
【図９】図８の９−９断面図である。
【図１０】蓋部材を緩めて給排水口を開いた状態を示した断面図である。
【図１１】図１０の１１−１１断面図である。
【発明を実施するための形態】
【００２２】
以下、本発明の一実施形態に係る生け簀装置を図面を用いて詳しく説明する。図１および図２は、同実施形態に係る生け簀装置２０を備えた小型船舶１０が海水上を走航している状態を示している。この小型船舶１０は、船舶本体１０ａと、船舶本体１０ａの船尾に取り付けられた船外機１１で構成されており、船舶本体１０ａの中央には運転席を備えた操縦室１２が設けられている。操縦室１２には、小型船舶１０を操舵するためのステアリングホイール１３や操作レバーおよび各種の操作スイッチ（図示せず）などが設けられている。このステアリングホイール１３と操作レバー等の操作に応じて船外機１１が制御され、船外機１１の作動により小型船舶１０は走行する。
【００２３】
生け簀装置２０は、船舶本体１０ａの船尾側部分の底部に形成されており、生け簀装置２０の底部２１ａは、船舶本体１０ａの底部１０ｂの一部を構成している。この生け簀装置２０は、上面が開放された四角箱形の生け簀本体２１と、生け簀本体２１の上端縁部の後部の左右に配置された一対のヒンジ連結部２２に回転可能に取り付けられた生け簀蓋２３を備えており、生け簀蓋２３を回転させることにより生け簀本体２１を開閉できる。また、生け簀本体２１の底部２１ａにおける前部左側と後部右側に、それぞれ取付け用穴２１ｂ（図４参照）が形成され、各取付け用穴２１ｂにスカッパー２４が固定され、各スカッパー２４に蓋部材２７が位置調整可能に取り付けられている。
【００２４】
前部左側に位置するスカッパー２４と蓋部材２７は給水口を構成し、後部右側に位置するスカッパー２４と蓋部材２７は排水口を構成するものであるが、これらは両スカッパー２４の向きを変えて配置された同じ部材で構成されている。したがって、以下の説明においては、給水口を構成するスカッパー２４と蓋部材２７と、排水口を構成するスカッパー２４と蓋部材２７とは同一のものとしている。また、スカッパー２４で本発明に係る開口部が構成される。
【００２５】
図３および図４は、底部２１ａの取付け用穴２１ｂに固定されたスカッパー２４に蓋部材２７を取り付けた状態を示している。スカッパー２４は、それぞれ硬質の樹脂材料からなるスカッパー本体２４ａと締付リング２６で構成されている。スカッパー本体２４ａは、外周面に外側ネジ２４ｂが形成され内周面に内側ネジ２４ｃが形成された円筒部２４ｄの下端に通水部２５を形成して構成されている。通水部２５は、外周部を構成する環状のフランジ部２５ａと、フランジ部２５ａの内周面に掛け渡された複数の水切桟２５ｂで構成されている。
【００２６】
フランジ部２５ａは、円筒部２４ｄの下端から外周側に向かって突出しており、一方（図４の右側）から他方（図４の左側）に向かって徐々に肉厚になるように形成されている。このため、フランジ部２５ａの下端部は傾斜している。各水切桟２５ｂは、それぞれ同じ大きさの四角形の断面形状を備えた棒状に形成されており、下端をフランジ部２５ａの下端に合わせた状態で等間隔に配置されている。図４の左右方向は、小型船舶１０の前後方向に対応しており、複数の水切桟２５ｂのうちの前後に位置する水切桟２５ｂの左右方向の長さは短く、前後方向の中央側に位置する水切桟２５ｂほど左右方向の長さは長くなっている。各水切桟２５ｂの隙間は、生け簀装置２０内に給水したり生け簀装置２０内から排水する際の水路になる。
【００２７】
また、円筒部２４ｄの内面には、図５に示したように、縦溝からなる凹部２４ｅが形成されている。この凹部２４ｅは、内側ネジ２４ｃにおけるネジ山の部分を上下方向に除去して（ネジ山を形成せずに）ネジ谷の部分と同一面になるようにして平面状に形成されており、円筒部２４ｄの内面における対向する２か所に１８０度の間隔を保って設けられている。なお、内側ネジ２４ｃで本発明に係る雌ネジが構成される。
【００２８】
締付リング２６は、軸方向の長さが短い筒状のリング本体２６ａと、リング本体２６ａの外周上部から外周側に突出したフランジ部２６ｂで構成されており、リング本体２６ａの内周面には、スカッパー本体２４ａの外側ネジ２４ｂに螺合できる締付ネジ２６ｃが形成されている。このように構成されたスカッパー２４は、スカッパー本体２４ａの円筒部２４ｄを底部２１ａの取付け用穴２１ｂに下方から挿し込んで、フランジ部２５ａを底部２１ａの下面に当接させ、円筒部２４ｄの外側ネジ２４ｂに締付リング２６の締付ネジ２６ｃを螺合させることにより底部２１ａに固定される。
【００２９】
なお、取付け用穴２１ｂの上部は、下部よりも大径になっており、下部と上部の間に段差２１ｃが形成されている。このため、締付リング２６をスカッパー本体２４ａに組み付けたときに、リング本体２６ａの下部は取付け用穴２１ｂの上部内に入ってその下端部は段差２１ｃに対向する。また、フランジ部２６ｂは、底部２１ａの上面に圧接し、これによってフランジ部２５ａは底部２１ａの下面に圧接する。図４の左方向を小型船舶１０の前方とした場合、図４に示したスカッパー２４は、底部２１ａの後部右側に配置されたスカッパー２４となり、底部２１ａの前部左側に配置されたスカッパー２４は、図４に示したスカッパー２４と前後（図４では左右）が逆になる。また、一対の凹部２４ｅは、図３に示したように底部２１ａの前後に位置している。
【００３０】
蓋部材２７は、樹脂材料からなっており、弾性を備えた略円筒状の蓋本体２７ａと、蓋本体２７ａの上部に設けられた硬質の操作部２８で構成されている。蓋本体２７ａの上面は天井部２７ｂで閉塞されており、蓋本体２７ａの外周面における天井部２７ｂを除いた部分には、スカッパー本体２４ａの内側ネジ２４ｃに螺合できる雄ネジ２７ｃが形成されている。雄ネジ２７ｃは、外径が７５ｍｍでピッチが３．０ｍｍの３０度台形ネジで構成されており、内側ネジ２４ｃはこの３０度台形ネジに対応する雌ネジで構成されている。また、蓋本体２７ａには、内部から外部に貫通する４つの給排水口２７ｄが円周方向に一定間隔で形成されている。この給排水口２７ｄは、雄ネジ２７ｃの下端から上方に向かってネジ山またはネジ谷を２つ越えた部分と天井部２７ｂとの間に位置している。
【００３１】
また、図６に示したように、雄ネジ２７ｃの下端から最初のネジ山を越えた１番目のネジ谷に円周方向に１８０度の間隔を保って一対の凸部２７ｅが形成されている。この凸部２７ｅの外周部は、図７（ａ），（ｂ）に示したように、平面視で半径が５ｍｍの円弧状に形成されており、その中央部と、雄ネジ２７ｃのネジ谷の間の長さ（突出長さ）は、０．２ｍｍに設定されている。操作部２８は、天井部２７ｂの上面外周に形成された環状部２８ａと、環状部２８ａの上面における対向する部分に形成された一対の円弧状壁部２８ｂと、環状部２８ａと一対の円弧状壁部２８ｂに掛け渡された被操作片２８ｃで構成されている。
【００３２】
環状部２８ａの外周部は、天井部２７ｂの外周部よりも外側に僅かに突出しており、円弧状壁部２８ｂは、天井部２７ｂの上面内周側に形成された隆起部からなっており、平面視が円弧状で側方視が台形になっている。被操作片２８ｃは、天井部２７ｂの上面から上方に突出する突条からなっており、両端がそれぞれ円弧状壁部２８ｂの中央部に連結されている。また、蓋部材２７の円周方向に対する被操作片２８ｃの両端部の位置は、一対の凸部２７ｅの位置にも対応しており、このため、被操作片２８ｃの両端部の位置から凸部２７ｅの位置を認識することができる。
【００３３】
蓋部材２７は、蓋本体２７ａの下端部をスカッパー本体２４ａの内周面上端に当接させた状態で上方から見た状態で時計回り方向に回転することによりスカッパー２４に組み付けられる。その際、スカッパー２４に対する蓋部材２７の位置によって、生け簀本体２１内への給水および排水の量が変更される。すなわち、蓋本体２７ａの給排水口２７ｄは、生け簀本体２１内とスカッパー本体２４ａ内を連通させる機能を備えており、給排水口２７ｄがスカッパー本体２４ａの内周面によって塞がれる面積に応じて生け簀本体２１内への給水および排水の量が変更され、図４に示したように、給排水口２７ｄがスカッパー本体２４ａの内周面によって閉塞された状態になると生け簀本体２１内への給水および排水は停止される。
【００３４】
また、天井部２７ｂの外周面は、上下方向の中央部分が上下両側よりも凹んだ曲面に形成され、その外周面に弾性を備えたゴムからなるＯリング２９が取り付けられている。このＯリング２９は、給排水口２７ｄがスカッパー本体２４ａの内周面によって閉塞されたときに、円筒部２４ｄの上端開口縁部に圧接して、環状部２８ａおよび天井部２７ｂと、円筒部２４ｄの上端開口縁部の間を密閉する。
【００３５】
つぎに、蓋部材２７を回転操作する際のスカッパー本体２４ａの内側ネジ２４ｃと凹部２４ｅに対する凸部２７ｅの位置関係を、図８ないし図１１を用いて説明する。図８は、蓋部材２７を回転できなくなるまで締める方向に回転して給排水口２７ｄを閉塞した状態を示しており、図９は、図８の９−９断面を示している。この状態では、一対の凸部２７ｅは左右（図９では上下）に並んで、スカッパー本体２４ａの内側ネジ２４ｃのネジ山に圧接している。このため、蓋部材２７は回転し難くなって給排水口２７ｄが閉塞された状態に維持される。
【００３６】
また、図１０は、図８の状態から、蓋部材２７を緩める方向に４回転と９０度回転させて、給排水口２７ｄを略全開させた状態を示しており、図１１は、図１０の１１−１１断面を示している。この状態では、一対の凸部２７ｅは前後（図１０および図１１では左右）に並んで、スカッパー本体２４ａの凹部２４ｅ内に位置している。この場合、蓋部材２７は、凸部２７ｅが凹部２４ｅ内に位置する範囲で回転し易い状態になっているが、ある程度大きな力を加えて蓋部材２７を回転させない限り、凸部２７ｅが凹部２４ｅから出ることはできない。このため、給排水口２７ｄが開口した状態が維持される。
【００３７】
蓋部材２７を回転させる操作は、所定の回転治具を用いて行われる。この回転治具としては、被操作片２８ｃと略同じ長さで被操作片２８ｃを上方から覆って挟むことのできる断面コ字状の挟持部と、挟持部の上面中央に連結された上下に長いＴ字形棒状の操作部を備えた部材を用いることができる。この回転治具を用いると、挟持部側を生け簀本体２１の開口から底部側に入れ、挟持部で被操作片２８ｃを挟んだ状態で、操作部の上部を手で回転操作できるため、蓋部材２７が生け簀本体２１の開口から深い位置にあっても容易に回転させることができる。
【００３８】
また、図８の状態から蓋部材２７を回転させて図１０の状態にするときには、まず、凸部２７ｅと内側ネジ２４ｃの圧接力に抗して蓋部材２７を９０度弱回転させる。これによって、凸部２７ｅが凹部２４ｅ内に入り、蓋部材２７は、凸部２７ｅが凹部２４ｅ内に位置する範囲で回転し易い状態になる。このとき、給排水口２７ｄの上部の極僅かな部分が開口する。その状態から、蓋部材２７をさらに回転させて凸部２７ｅを内側ネジ２４ｃに当接させた後にさらに蓋部材２７を回転させて凸部２７ｅを内側ネジ２４ｃに圧接させると、蓋部材２７は回転し難い状態になる。
【００３９】
その状態でさらに蓋部材２７を回転していくと、給排水口２７ｄの開口した部分が少しずつ増加していき、蓋部材２７の初期の位置からの回転角が２７０度弱になったときに、凸部２７ｅが再度凹部２４ｅ内に入る。これによって、蓋部材２７は、凸部２７ｅが凹部２４ｅ内に位置する範囲で回転し易い状態になる。その後、さらに蓋部材２７を回転していくと、凸部２７ｅが内側ネジ２４ｃに圧接した状態と、凸部２７ｅが凹部２４ｅ内に位置した状態とが交互に繰り返されて、その間、給排水口２７ｄの開口した部分が少しずつ増加しながら、図１０の状態になる。
【００４０】
このとき、蓋部材２７は初期の位置から４回転と９０度回転しているため、給排水口２７ｄは全開しており、これ以上、蓋部材２７を回転させても給水および排水の量を増加できない。操作者は、この蓋部材２７の回転数や回転角度によって、蓋部材２７の上限位置を知ることができる。また、前述した蓋部材２７を回転させる操作の際には、蓋部材２７を半回転させるごとに、蓋部材２７が回転し難くなったり回転し易くなったりすることが繰り返されるが、図１０の状態から蓋部材２７を半回転させても蓋部材２７は回転し易い状態に維持される。これによっても、操作者は、蓋部材２７の上限位置を知ることができる。
【００４１】
なお、本実施形態では、図１０の状態から蓋部材２７を緩める方向に１回転させたときに、蓋部材２７がスカッパー本体２４ａから外れるようにしている。すなわち、蓋部材２７をスカッパー本体２４ａに取り付ける際に、蓋部材２７を１回転させると、凸部２７ｅが内側ネジ２４ｃに到達するようにしている。これによって、操作者は、蓋部材２７がスカッパー本体２４ａから外れる位置に近づいていることを知ることができ、スカッパー本体２４ａから外れるまで、蓋部材２７を回転させてしまうことが防止される。
【００４２】
蓋部材２７を任意の角度回転させることにより、給排水口２７ｄの開口の大きさを調整することもでき、この場合の調整は、蓋部材２７を半回転ずつ回転させて凸部２７ｅを凹部２４ｅ内に位置させることによって行う。また、スカッパー本体２４ａの内周面に上下に延びる凹部２４ｅが形成され、蓋部材２７に給排水口２７ｄが形成されているが、蓋部材２７の外周下部には全周に亘って雄ネジ２７ｃが形成されているため、蓋部材２７は、ネジ山を越えて上下方向にずれることなく、正確に内側ネジ２４ｃの回転方向に沿って上下に移動する。
【００４３】
つぎに、以上のように構成された生け簀装置２０を備えた小型船舶１０を用いて海で魚釣りをする場合について説明する。この場合、まず、２つの蓋部材２７を回転操作して給排水口２７ｄの開口の大きさを調整する。その状態で、小型船舶１０を前進させると、前部左側に配置されたスカッパー２４の下部から海水が入り、その海水は蓋部材２７の給排水口２７ｄを通過して生け簀本体２１内に入る。また、生け簀本体２１内の海水は、後部右側に配置された蓋部材２７の給排水口２７ｄを通過してスカッパー２４の下部から外部の海中に出ていく。これが繰り返されて、生け簀本体２１内には適度な量の新鮮な海水が保持される。
【００４４】
そして、小型船舶１０を停止させたり走行させたりしながら所定のポイントに位置させて、魚を釣る。釣った魚は、生け簀蓋２３を開けて生け簀本体２１内に入れる。生け簀本体２１内の海水は、常に入れ替えされて新鮮な状態に維持されているため、生け簀本体２１内に入れられた魚は海中にいるときと同様の状態で保持される。
【００４５】
このように、本実施形態に係る生け簀装置２０では、生け簀本体２１の底部２１ａに設けられた２つの取付け用穴２１ｂに、内周面に内側ネジ２４ｃが形成されたスカッパー２４をそれぞれ固定して、この２つのスカッパー２４に、外周面に雄ネジ２７ｃが形成された蓋部材２７をそれぞれ螺合させている。また、スカッパー２４の下部には、海中とスカッパー２４内を連通する水路が形成され、蓋部材２７には、生け簀本体２１内とスカッパー２４内を連通させるための給排水口２７ｄが形成されている。このため、蓋部材２７を回転させて、スカッパー２４に対する蓋部材２７の位置を変更することにより給排水の量を調整できる。
【００４６】
また、蓋部材２７の雄ネジ２７ｃにおける給排水口２７ｄよりも下方に一対の凸部２７ｅが形成され、スカッパー２４の外周面には内側ネジ２４ｃに交差して上下に延びる一対の凹部２４ｅが形成されている。このため、給水または排水の量を調整するために、蓋部材２７を回転させていくと、半回転ごとに、凸部２７ｅが内側ネジ２４ｃに圧接して蓋部材２７が回転し難くなる状態になったり、凸部２７ｅが凹部２４ｅ内に位置して蓋部材２７が回転し易くなる状態になったりする。これによって、蓋部材２７をどの程度回転させたか、すなわち、スカッパー２４に対する蓋部材２７の位置によって決まる給水および排水の量水を知ることができる。
【００４７】
また、蓋部材２７の位置決めの際に、凸部２７ｅを凹部２４ｅ内に位置させておくことにより、凸部２７ｅがストッパーとなって、蓋部材２７が自然に緩んで給水および排水の量が変わってしまうことが防止される。さらに、本実施形態では、蓋部材２７をスカッパー本体２４ａに螺合させる際の初期位置から、蓋部材２７が略１回転したときに、凸部２７ｅが内側ネジ２４ｃに到達するようにしている。このため、蓋部材２７を緩めていく際に、蓋部材２７が回転し易い状態になってから半回転しても、その状態が続いていれば、これ以上、蓋部材２７を回転させると、蓋部材２７がスカッパー本体２４ａから外れてしまうことを知ることができる。これによって、蓋部材２７がスカッパー本体２４ａから外れることをより確実に防止できる。
【００４８】
本発明は、前述した実施形態に限るものでなく、適宜変更して実施することができる。例えば、前述した実施形態では、本発明に係る開口部を生け簀本体２１の底部２１ａと別部材からなるスカッパー２４で構成しているが、底部２１ａの取付け用穴２１ｂに円筒状の開口部を一体に形成して、この一体に形成された開口部で本発明に係る開口部を構成してもよい。また、前述した実施形態では、スカッパー２４と蓋部材２７を２組設けているが、これは１組だけ設けてもよいし、３組以上設けてもよい。さらに、スカッパー本体２４ａを底部２１ａから上方に突出させて、蓋部材２７をスカッパー本体２４ａの外周面に螺合させてもよい。
【００４９】
また、前述した実施形態では、凹部２４ｅを平面状に形成に形成しているが、この凹部２４ｅは、凸部２７ｅに圧接しない程度であれば凹凸面で構成されていてもよい。また、上下に配置されてなく、内側ネジ２４ｃの螺旋に沿って複数設けてもよいし、１個だけ設けてもよい。凹部を１個だけ設ける場合には、緩める方向に蓋部材２７を回転したときに、スカッパー２４から蓋部材２７が外れるまでの１回転前の位置で凹部内に凸部２７ｅが位置するようにすることが好ましい。
【００５０】
また、前述した実施形態では、取付部を内側ネジ２４ｃで構成し、被取付部を雄ネジ２７ｃで構成しているが、取付部と被取付部はネジに限らず、位置調整可能に係合できるものであれば何でもよい。例えば、少なくとも一方が弾性を備えた複数のリング状突部からなる取付部と、複数のリング状凹部からなる被取付部で構成し、互いを軸方向に押さえたり引っ張ったりすることにより係合位置を変更できるようにしてもよい。さらに、本発明に係る生け簀装置は、小型船舶１０に限らず、海岸や河川岸の所定部分に設けられるものであってもよい。また、生け簀装置や小型船舶を構成する各部分の材料や構造についても本発明の技術的範囲内で適宜変更することができる。
【符号の説明】
【００５１】
１０…小型船舶、２０…生け簀装置、２１…生け簀本体、２４…スカッパー、２４ｃ…内側ネジ、２４ｅ…凹部、２７…蓋部材、２７ｃ…雄ネジ、２７ｄ…給排水口、２７ｅ…凸部。
【図１】
2015145195.tif 000003
【図２】
2015145195.tif 000004
【図３】
2015145195.tif 000005
【図４】
2015145195.tif 000006
【図５】
2015145195.tif 000007
【図６】
2015145195.tif 000008
【図７】
2015145195.tif 000009
【図８】
2015145195.tif 000010
【図９】
2015145195.tif 000011
【図１０】
2015145195.tif 000012
【図１１】
2015145195.tif 000013